(57)【要約】【課題】各種径の容器を安定した高さで保持可能とするとともに、収納スペースを低減する。【解決手段】ホルダ本体２に、左右に揺動自在かつサポート21に対して近接する方向及び遠ざかる方向に移動自在にアーム３を保持し、アーム３をホルダ部22に近接する方向へ付勢する第一付勢部材48と、アーム３をサポート21から遠ざかる方向へ付勢する第二付勢部材46と、アーム３をサポート21に近接する方向へ押圧したときに、第一付勢部材48の付勢力に抗してアーム３をホルダ部22から遠ざかる方向へ移動させる押出手段を設けた。  容器を挿入するとアーム３は容器の底部から外方へ押し出され、押し出された後は、容器の側面と摺接しつつ第二付勢部材46の付勢力によって上方へ移動し、アーム３は所定のホールド高さとなる。【選択図】  図１
2007091004.tif 000002
【特許請求の範囲】
【請求項１】
容器の底部を支持する板状のサポートと、該サポートから所定高さで立設され容器の一側面を支持するホルダ部と、からなり基体に形成された収納空間に出入可能に該基体に保持されたホルダ本体と、
該ホルダ本体に揺動自在に保持されるとともに、該サポートに対して近接する方向及び遠ざかる方向に移動自在に保持され該ホルダ部と対向して容器の側面を支持するアームと、
該アームを該ホルダ部に近接する方向へ付勢する第一付勢部材と、
該アームを該サポートから遠ざかる方向へ付勢する第二付勢部材と、
該アームを該サポートから所定距離離れた位置で係止する係止手段と、
該アームを該サポートに近接する方向へ押圧したときに、該第一付勢部材の付勢力に抗して該アームを該ホルダ部から遠ざかる方向へ移動させて該容器の底部より外方へ押し出す押出手段と、
該基体に形成され該アームを該第二付勢部材の付勢力に抗して押圧する当接手段と、
よりなることを特徴とするカップホルダ。
【請求項２】
前記押出手段は、アームに形成されたテーパ表面である請求項１に記載のカップホルダ。
【請求項３】
前記ホルダ本体は前記基体に揺動自在に保持されている請求項１に記載のカップホルダ。
【発明の詳細な説明】
【技術分野】
【０００１】
本発明は、自動車室内などに備えられるカップホルダに関する。
【背景技術】
【０００２】
自動車室内には、インストルメントパネル、コンソールボックスなどから出入自在なカップホルダが設けられている。このカップホルダは、容器の底部を支持するサポートと、容器の側面を支持するホルダ部とからなり、径の異なる容器を保持可能とするとともに、狭い収納空間に収納可能とするために種々の工夫がなされている。
【０００３】
例えば特開平10−250448号公報には、ホルダ部の一部をアームで構成し、アームをホルダ本体に対して揺動自在とすることで、径の異なる容器を保持可能としている。またこのように構成すれば、アームを縮径することで狭い収納空間に容易に収納することができる。
【０００４】
ところで、自動車の後席の乗員が利用可能とするために、コンソールボックスの後部に出入自在に収納されたカップホルダが知られている。このカップホルダは、図17及び図18に示すように、コンソールボックス 100の後部に揺動自在に保持されホルダ凹部 201をもつホルダ本体 200からなり、ホルダ凹部 201の開口が上方を向く位置で使用され、コンソールボックス 100の後部に形成された収納空間 101に収納される。しかしコンソールボックス 100の後部にはリヤレジスタ 102、エアコンダクト 103などが存在しているために、収納空間 101のスペースは小さいものとなり、ホルダ本体 200の高さを十分にとることが困難であった。
【０００５】
またエアコンダクト 103は、後部ほど上方へ向かって傾斜しているために、ホルダ本体 200の一端部では高さを十分に確保できたとしても、揺動先端部 202の高さは低いものとなってしまう。
【０００６】
そこで例えば特許第 2792235号公報には、コンソールボックスの後部にサポートとホルダ部とを揺動自在に保持したカップホルダが記載されている。このカップホルダによれば、サポートを揺動させコンソールボックスの後部に倒して水平状態とし、分割された円形のホルダ部を揺動させてサポートの上部に位置させる。そしてサポートに対するホルダ部の角度を調整することで水平面に対するホルダ部の投影面積を変化させ、種々の径の容器を保持可能としている。
【０００７】
しかし上記カップホルダにおいては、大径容器を保持する際には上記角度が小さくなり、ホルダ部とサポートとの距離が小さくなるという問題がある。
【０００８】
小径容器から大径容器まで、各種の高さの飲料容器を安定して保持するためには、サポートから65mm以上離れた位置で容器の側面を支持するのが望ましく、ホルダ部の高さは65mm以上とすることが望ましいことがわかっている。以下、この明細書では、各種容器を安定して支持できるホルダ部などの高さを「ホールド高さ」という。
【０００９】
ところが上記した従来の技術では、ホルダ部がホールド高さを有するカップホルダをコンソールボックスの後部に収納しようとすると、ホールド高さの寸法以上の収納空間が必要となり、コンソールボックスのボックス部の容積がその分小さくなるという問題があった。
【特許文献１】特開平10−250448号
【特許文献２】特許第 2792235号
【発明の開示】
【発明が解決しようとする課題】
【００１０】
本発明は上記事情に鑑みてなされたものであり、各種径の容器を安定した高さで保持可能とするとともに、収納スペースを低減することを解決すべき課題とする。
【課題を解決するための手段】
【００１１】
上記課題を解決する本発明のカップホルダの特徴は、容器の底部を支持する板状のサポートと、サポートから所定高さで立設され容器の一側面を支持するホルダ部と、からなり基体に形成された収納空間に出入可能に基体に保持されたホルダ本体と、
ホルダ本体に揺動自在に保持されるとともに、サポートに対して近接する方向及び遠ざかる方向に移動自在に保持されホルダ部と対向して容器の側面を支持するアームと、
アームをホルダ部に近接する方向へ付勢する第一付勢部材と、
アームをサポートから遠ざかる方向へ付勢する第二付勢部材と、
アームをサポートから所定距離離れた位置で係止する係止手段と、
アームをサポートに近接する方向へ押圧したときに、第一付勢部材の付勢力に抗してアームをホルダ部から遠ざかる方向へ移動させて容器の底部より外方へ押し出す押出手段と、
基体に形成されアームを第二付勢部材の付勢力に抗して押圧する当接手段と、よりなることにある。
【００１２】
押出手段は、アームに形成されたテーパ表面とすることができる。
【発明の効果】
【００１３】
本発明のカップホルダによれば、ホルダ本体を収納空間から出すと、サポートが略水平状態となり、その上部にホルダ部が位置する。そしてアームは、第一付勢部材によってホルダ部に近接するように付勢されるとともに第二付勢部材によって上方へ付勢され、係止手段で係止することでホールド高さとすることができる。
【００１４】
そこへ容器を挿入しようとすると、容器の底部がアームに当接し、挿入の動きに連動して、アームは第二付勢部材の付勢力に抗して下降する。すると押出手段が作用し、第一付勢部材の付勢力に抗してアームがホルダ部から遠ざかる方向へ移動する。したがってアームは容器の底部から外方へ押し出されることになり、押し出された後は、容器の側面と摺接しつつ第二付勢部材の付勢力によってサポートから遠ざかる方向（上方）へ移動し、係止手段で係止されてホールド高さとなる。これにより容器は、底部がサポートで支持され、側面がホールド高さでホルダ部及びアームで支持されるので、安定した支持が可能となる。
【００１５】
そして基体に設けられた収納空間への収納時には、ホルダ本体を収納空間に収納する際にアームが基体に形成された当接手段に当接し、アームは第二付勢部材の付勢力に抗してサポートに近接する方向へ押圧される。したがってアームは収納空間の開口に近接した位置となり、ホルダ本体の収納スペースが低減される。
【発明を実施するための最良の形態】
【００１６】
ホルダ本体はサポートとホルダ部とからなり、基体に形成された収納空間に出入可能に保持されている。基体としては、コンソールボックス、シート、アームレストなど種々の車両内装品が例示される。またホルダ本体を収納空間に出入可能に保持するには、引出方式、揺動方式などがある。
【００１７】
サポートは容器の底部を支持する板状をなし、ホルダ部はサポートから立設されて容器の一側面を支持する。ホルダ部は、ホールド高さに形成されていてもよいし、スライド移動などによってホールド高さとなるように構成することも好ましい。
【００１８】
ホルダ本体には、アームが左右に揺動自在に保持されている。このアームは、サポートに対して近接する方向及び遠ざかる方向に上下にも移動自在に保持されている。このようにホルダ本体にアームを保持するには、ホルダ本体の一部に軸を形成してアームを軸支し、その軸に沿ってアームを移動自在に構成すればよい。アームは、ホルダ部と対向して容器の側面を支持するものであり、一般には円弧形状に形成される。
【００１９】
第一付勢部材は、アームをホルダ部に近接する方向へ付勢する。すなわち使用状態において、第一付勢部材はアームの左右の揺動を規制し、ホルダ部とアームとの間隔を狭めるようにアームを付勢する。これにより、各種径の容器はホルダ部とアームとで挟持された状態となり、安定した容器の保持が可能となる。
【００２０】
また第二付勢部材は、アームをサポートから遠ざかる方向へ付勢する。すなわち使用状態において、第二付勢部材はアームの上下移動を規制し、サポートとアームとの間隔を拡げるようにアームを付勢する。そして係止手段がアームをサポートから所定距離離れた位置で係止することで、ホールド高さでアームが保持され、安定した容器の保持が可能となる。
【００２１】
第一付勢部材及び第二付勢部材は、コイルバネ、トーションバネ、板バネなど各種バネ、あるいはスポンジ、ゴムなどの弾性材料を用いることができる。また場合によっては、第二付勢部材が第一付勢部材を兼ねることもできる。
【００２２】
本発明の最大の特徴は、容器の底部がアームをサポートに近接する方向へ押圧したときに、第一付勢部材の付勢力に抗してアームをホルダ部から遠ざかる方向へ移動させ、アームを容器の底部より外方へ押し出す押出手段を備えたところにある。押出手段によって、アームは容器の底部より外方へ押し出される。そして容器の外方へ押し出された時点で、上下付勢手段の付勢力によってアームはサポートから遠ざかる方向へ移動する。この時もアームには左右付勢手段の付勢力が作用しているので、アームは容器の側面と摺接しながら移動し、ホールド高さなどの所定位置で係止手段によって係止される。これによりどのような容器でも一律にホールド高さで保持でき、また容器の径に関わらずアームとホルダ部とで容器を挟持できるので、容器を安定して保持することができる。
【００２３】
この押出手段は、例えばアームに形成されたテーパ表面とすることができる。この場合は、容器の底部がテーパ表面を押圧することで、アームには径方向の力が作用し、アームを容器の底部より外方へ押し出すことができる。また押出手段は、アームとサポートとの距離が所定距離になった時点でアームを左右付勢手段の付勢力に抗して拡径方向へ移動させる手段としてもよい。この場合は、アームとサポートとの距離が所定距離になるまでは容器の底部がアームを押圧し、所定距離となった時点でアームを容器の底部より外方へ押し出すことができる。この場合の押圧手段としては、案内レールに突起が案内される構造などを採用することができる。
【００２４】
さらに基体には、アームを第二付勢部材の付勢力に抗して押圧する当接手段が形成されている。この当接手段によって、収納位置でアームをサポートに近接した位置とすることができ、収納スペースを低減することができる。この当接手段としては、基体の壁部などを用いることができる。
【実施例】
【００２５】
以下、実施例により本発明を具体的に説明する。
【００２６】
（実施例１）
図１〜11に本実施例のカップホルダを示す。このカップホルダは、コンソールボックス１の後端部下部に揺動自在に軸支されたホルダ本体２と、ホルダ本体２に揺動自在に、かつ上下動自在に保持された一対のアーム３とから構成されている。
【００２７】
コンソールボックス１の後部には、図６，７に示すように、コンソールリッド10によって開閉されるボックス11と、エアコンダクト12と、リヤレジスタ13が設けられ、リヤレジスタ13の下方にホルダ本体２を収納する収納空間14が形成されている。
【００２８】
ホルダ本体２は樹脂製であり、一対のホルダ孔20が形成されている。ホルダ孔20の底部には容器の底を支持するサポート21が形成され、ホルダ孔20の周壁には、周長の約半分に容器の側面を支持するホルダ部22が形成されている。ホルダ部22は、ホルダ本体２の使用位置において、コンソールボックス１に近い側の高さはホルダ高さに形成されているが、後部座席側に向かう側の高さはホルダ高さよりかなり低い位置にある。したがって、そのままでは、背の高い容器を保持した時に後部座席側へ倒れる恐れがある。
【００２９】
そこで本実施例では、ホルダ部22に対向してホルダ孔20を囲むように、一対のアーム３を備えている。このアーム３は、図２に示すように鎌形状に形成され、断面三角形状に形成されることで、上面にテーパ表面30が形成されている。
【００３０】
一対のアーム３は、コンソールボックス１に近い側で、ホルダ本体２から延びる一対の保持部材４にそれぞれ保持されている。この保持部材４は金属製であり、図３，４に示すように、ホルダ本体２に固定された外筒40と、外筒40内を移動可能な内筒41とからなる。外筒40の上端部には径方向内方へ突出する係止リング42が形成され、内筒41の下端部には径方向外方へ突出する係止鍔43が形成され、係止リング42と係止鍔43とが係合することで、外筒40から内筒41が抜けるのが規制されている。また外筒40の内周面には軸方向に延びる縦溝44が形成され、内筒41の外周表面に形成された凸部45が縦溝44に係合することで、外筒40に対して内筒41が回動するのが規制されている。そして外筒40及び内筒41内にはコイルスプリング46が配置され、内筒41を外筒40から抜ける方向へ付勢している。
【００３１】
図５に示すように、内筒41の上端は中実とされ、その先端にアーム３がボルト47によって回動自在に保持されている。アーム３と内筒41との間にはスプリング48が介装され、アーム３はスプリング48によってホルダ部22に近接する方向へ付勢されている。
【００３２】
このように構成された本実施例のカップホルダを使用する場合には、後席乗員が表出しているサポート21の裏面を収納空間14に向かって押圧する。すると図示しないプッシュロックオープン装置が作動し、図６に示すように、ホルダ本体２が揺動してコンソールボックス１から後方へ突出した状態となる。その状態では、サポート21の表面が水平状態となり、ホルダ孔20の壁が鉛直状態にある。そしてアーム３は、コイルスプリング46の付勢によって上方へ付勢され、係止リング42と係止鍔43とが係合したホールド高さで保持されるとともに、スプリング48の付勢によってホルダ部22に近接した位置となっている。
【００３３】
その状態で容器をホルダ孔20に挿入しようとすると、図８に示すように容器の底部がアーム３と干渉する。このとき容器の底部はアーム３のテーパ表面30と当接するため、図９に示すように、容器の下降に伴って、アーム３はスプリング48の付勢力に抗しながらホルダ部22から遠ざかる方向へ揺動する。
【００３４】
そして図10に示すように、アーム３が容器の底部から外方へ外れると、コイルスプリング46の付勢によってアーム３は上方へ移動する。このときスプリング48によってアーム３はホルダ部22に近接する方向へ付勢されているため、アーム３は容器の側面と摺接しながら上方へ移動し、係止リング42と係止鍔43とが係合したホールド高さで容器に圧接された状態で停止する。
【００３５】
したがって図11に示すように、容器はアーム３及びホルダ部22との間で挟持された状態となり、またアーム３及びホルダ部22によって約65mmのホールド高さで支持されるため、倒れたりする恐れなく安定して保持することができる。
【００３６】
カップホルダを収納する際には、ホルダ孔20から容器を抜き取ると、アーム３はスプリング48の付勢によってホルダ部22に近接する方向へ揺動する。これによりアーム３と収納空間14の開口との干渉が回避されるので、ホルダ本体３を揺動させて収納空間14内へ収納する。
【００３７】
この時、アーム３がエアコンダクト12の外壁面（当接手段）と当接するが、コイルスプリング46の付勢力に抗して押圧することで内筒41が外筒40の内部に進入し、アーム３とサポート21との距離が小さくなるため、収納空間14内へ収納することができる。そして図示しないロック手段によってホルダ本体３は収納空間14内に収納された状態が保持され、サポート21の裏面側が表出する。
【００３８】
（実施例２）
図12〜16に、本実施例のカップホルダを示す。このカップホルダは、ホルダ本体２が異なること、ホルダ本体２におけるアーム３の取付位置が異なること以外は実施例１と同様であるので、構成の異なる部分について説明する。
【００３９】
ホルダ本体２は、矩形のサポート21と、サポート21の三辺から立設された壁状のホルダ部22を備えている。図12には、一対のホルダ孔20のうち片側のみを示している。ホルダ部22は下ホルダ23と、使用位置において下ホルダ23から上下に出入自在な枠形状の上ホルダ24とからなる。
【００４０】
図13、14に示すように、下ホルダ23には深溝25が形成され、上ホルダ24は深溝25内を上下に移動可能となっている。また深溝25内には板バネ26が配置されて上ホルダ24を上方へ付勢し、図12、13に示す使用状態では板バネ26の付勢力がゼロとなって、上ホルダ24の上端面はホールド高さにある。そして上ホルダ24がその状態から下ホルダ23内に下降すると、上方への付勢力が発生する。
【００４１】
実施例１と同様のアーム３は、実施例１と同様の保持部材４に上下及び左右に移動自在に保持されている。したがってアームは、保持部材４に設けられたコイルスプリング46によって上方へ付勢され、スプリング48によってホルダ部22に近接する方向へ付勢されている。本実施例では、保持部材４は後部座席側に向かう側に設けられ、アーム３はコンソールボックス１側のホルダ部22に対向している。
【００４２】
本実施例のカップホルダの使用時には、図12、13、15に示すように上ホルダ24の上端面はホールド高さにあり、ホルダ部22は実施例１と同様にホールド高さとなったアーム３と共に容器を挟持する。これにより容器を安定して保持することができる。
【００４３】
カップホルダの収納時には、アーム３はスプリング48によってホルダ部22に近接する方向へ揺動しており、大部分がホルダ孔20内に存在する。その状態でホルダ本体２を揺動させると、アーム３ばかりでなく上ホルダ24もエアコンダクト12の外壁面（当接手段）と当接する。さらにホルダ本体２を揺動させると、内筒41がコイルスプリング46の付勢力に抗して外筒40の内部に進入するとともに、上ホルダ24が板バネ26の付勢力に抗して下ホルダ23内へ進入する。これによりホルダ本体２は図14、16に示す状態で収納空間14に収納される。
【００４４】
そして図７と図14との比較から、収納状態における収納空間の空スペースは実施例２の方が大きいので、実施例２のカップホルダによれば、コンソールボックス１における収納スペースを実施例１よりさらに低減することができ、エアコンダクト12などの配設の自由度が高まる、ボックス11の容積が増大するなどの効果が発現される。
【図面の簡単な説明】
【００４５】
【図１】本発明の一実施例のカップホルダを基体と共に示す使用時の斜視図である。
【図２】本発明の一実施例のカップホルダに用いたアームの斜視図である。
【図３】本発明の一実施例のカップホルダに用いた保持部材の横断面図である。
【図４】本発明の一実施例のカップホルダに用いた保持部材の縦断面図である。
【図５】本発明の一実施例のカップホルダに用いた保持部材の要部拡大断面図である。
【図６】本発明の一実施例のカップホルダを基体と共に示す使用時の断面図である。
【図７】本発明の一実施例のカップホルダを基体と共に示す収納時の断面図である。
【図８】本発明の一実施例のカップホルダの使用時における作用を説明する断面図である。
【図９】本発明の一実施例のカップホルダの使用時における作用を説明する断面図である。
【図１０】本発明の一実施例のカップホルダの使用時における作用を説明する断面図である。
【図１１】本発明の一実施例のカップホルダの使用時における作用を説明する断面図である。
【図１２】本発明の第２実施例のカップホルダの使用状態における要部斜視図である。
【図１３】本発明の第２実施例のカップホルダの使用状態における要部断面図である。
【図１４】本発明の第２実施例のカップホルダの収納状態における要部断面図である。
【図１５】本発明の第２実施例のカップホルダを基体と共に示す使用時の断面図である。
【図１６】本発明の第２実施例のカップホルダを基体と共に示す収納時の断面図である。
【図１７】従来のカップホルダを基体と共に示す使用時の断面図である。
【図１８】従来のカップホルダを基体と共に示す収納時の断面図である。
【符号の説明】
【００４６】
１：コンソールボックス（基体）      ２：ホルダ本体          ３：アーム
４：保持部材                        20：ホルダ孔            21：サポート
22：ホルダ部                        30：テーパ表面
46：コイルスプリング（第二付勢部材）      48：スプリング（第一付勢部材）
【図１】
2007091004.tif 000003
【図２】
2007091004.tif 000004
【図３】
2007091004.tif 000005
【図４】
2007091004.tif 000006
【図５】
2007091004.tif 000007
【図６】
2007091004.tif 000008
【図７】
2007091004.tif 000009
【図８】
2007091004.tif 000010
【図９】
2007091004.tif 000011
【図１０】
2007091004.tif 000012
【図１１】
2007091004.tif 000013
【図１２】
2007091004.tif 000014
【図１３】
2007091004.tif 000015
【図１４】
2007091004.tif 000016
【図１５】
2007091004.tif 000017
【図１６】
2007091004.tif 000018
【図１７】
2007091004.tif 000019
【図１８】
2007091004.tif 000020